Podtech/llm-jp-corpus-v4-ja_patent huggingface dataset:
(57)【要約】 【課題】乗降者の昇降と、どの高さでも乗降者自身での移動が可能な車椅子を提供する。【解決手段】小径の前輪３と大径の後輪２を車体１に配置し、足を乗せるステップ８を備えた座席５を昇降手段９により上下方向に移動自在とし、その昇降手段の上部に設けられた移動用ハンドル７と連結された第一リンク１２、第二リンク１３の駆動手段により後輪２に動力が伝達され、どの高さにおいても乗降者自身での移動を可能とし、第一リンク１２、第二リンク１３は昇降手段９の上下移動に追従するように構成した。【選択図】    図１
2011000267.tif 000002
【特許請求の範囲】
【請求項１】
小径の車輪と大径の車輪を配した車体に、足を乗せるステップを備えた座席部を昇降手段により上下に移動可能とし、どの高さの位置でも乗降者が駆動手段により自力で移動可能な構成にしたことを特徴とする車椅子である。
【請求項２】
前記の昇降手段として、パンタグラフ式リンク機構により上下移動用ハンドルを回すことにより上下移動用ネジにより力が伝達され上下移動が可能となる車椅子である。
【請求項３】
前記の駆動手段として、第一リンク、第二リンクによるベルト駆動にて、昇降者の移動用ハンドルから大径後方車輪に力が伝達され移動が可能となり、第一リンク、第二リンクはパンタグラフ式リンク機構に追従できるようになっている車椅子である。
【発明の詳細な説明】
【技術分野】
【０００１】
本発明は、独立して歩行することが困難な傷病者や病弱者、体の不自由な人等が搭乗して希望の場所に移動するための車椅子に関する。
【背景技術】
【０００２】
上記のような車椅子は広く用いられており、看護者が後方から手押しで移動させ、あるいは傷病者等が自ら座席後方からの車輪を手で転動させて移動する軽量な折りたたみタイプの車椅子から、バッテリーと電動の懸垂機構とを搭載し搭乗者の運転操作によって、広く移動することができる電動タイプの車椅子まで、多種多様な車椅子が利用されている。
【発明の概要】
【発明が解決しようとする課題】
【０００３】
しかし、上記のような従来の車椅子は、基本的に体が不自由な人々の利用する装備でありながら、一般に移動手段としての機能を優先させる結果、移動するという機能については多くの検討配慮がなされていても、移動前後における車椅子への乗降については未だ充分な配慮がされているとはいえない部分がある。
【０００４】
例えば、車椅子を利用せざる人々には、寝たきり状態の人や、交通事故等により身動きが困難な人など、自らの意思で車椅子への移動が困難な人が多い。このような人がベッドから車椅子に移動し、あるいは逆に車椅子からベッドに戻るためには、複数の看護者が両側から支え、患者を移動させるという多人数の介護が必要になるという課題があった。
【０００５】
公的な施設（美術館等）においては、展示物等の配置の高さは通常、健常者の目線の高さに配置されており、車椅子の高さでは展示物本来のよさが伝わりにくい。又、車椅子の高さを高くしたとしても、介護者が後方から手押しをしなければならず、本人の意思だけでは鑑賞できない。
【０００６】
介護施設などにおいて、食事をテーブルにて行う場合、人によってテーブルの高さが高く、食事しずらい。
【０００７】
本発明は、上記のような課題に、介護者の負担を軽減し、車椅子利用者の利便性を向上させることを目的とする。
【課題を解決するための手段】
【０００８】
上記目的達成のため、本発明の車椅子は、小径の前輪と大径の後輪を車体に配置し、足を乗せるステップを備えた座席部を昇降手段により上下方向に移動自在とし、どの高さでも乗降者が駆動手段により、自力で車椅子を移動できるようになることを特徴としている。
【０００９】
上下移動については、車体に２ヶ所に設置されたパンタグラフタイプの機構を車体後方に取付けたネジ機構をようするハンドルを操作することにより上下移動を可能としている。
【００１０】
乗降者の駆動について、車体側方２ヶ所に設置された第一リンク、第二リンク式のベルト駆動により乗降者の左右に設置された移動用ハンドルをまわすことにより、ベルトをかいして後方の大径の車輪に力が伝達され、移動が可能となる。
【００１１】
乗降者が、本人の意思で移動しない場合は車体後方に設置された介護者用レバーにより移動が可能となる。
【発明の効果】
【００１２】
本発明は、以上に説明したように、乗降者の上下移動、どの高さでも乗降者自身が自分の意志で移動可能機能を備えているので、以下に記載するような効果がある。
【００１３】
上下移動することにより、ベッドからの移動の介護者の負担軽減、日常生活において健常者と同じ目線で見られることにより生活が快適となり、又食事等においてもテーブルの高さを気にすることなくできる。
【００１４】
どの高さでも、乗降者自身が自分の意志で移動が可能となり、介護者に遠慮することなく移動ができ又、介護者も手押しする必要がないため負担が軽減される。
【図面の簡単な説明】
【００１５】
【図１】本発明の車椅子の側面を一部切欠し上昇させた時の図である。
【図２】本発明の車椅子の側面を下降させた時の図である。
【発明を実施するための形態】
【００１６】
発明の形態を図１乃至図２により詳細に説明する。
本発明の車椅子は、図１に示す例では車体１に小径の前輪３と大径の後輪２を装着し、車体１上面にパンタグラフ９を装着しその上に座席部５、肘掛６、移動用ハンドル７、ステップ８が取付けられている。又、後方より介護者が手押しできるようレバー４が装着されている。
図２に示す例では、乗降者駆動伝達装置として第一リンク１２、第二リンク１３が装着されている。
本内容は、上記の記載のより構成されたものである。
【００１７】
前記の車体１は、小径の前輪３と大径の後輪２、パンタグラフ９、手押しレバー４を装着できるようにしたものを車体１とする。
【００１８】
前記のパンタグラフ９は、車体１と座席５を連結させ上下移動用ハンドル１１をまわすことによりネジ１０を駆動させ上下動ができるように繋ぐ。
【００１９】
前記の第一リンク、第二リンクは、移動用ハンドル７と後輪２をベルト駆動により連結させ、上下移動時には、パンタグラフ９に追従できるように繋ぐ。
【００２０】
以上の各機構を組み立てることにより、上下移動用ハンドルの操作により、パンタグラフ９が持ち上がり第一リンク、第二リンクが追従し座席部が上下させることができ、乗降者がどの高さでも自身での移動ができる。
【符号の説明】
【００２１】
１  車体
２  大径後方車輪
３  小径前方車輪
４  介護者手押し用レバー
５  座席
６  肘掛
７  移動用ハンドル
８  ステップ
９  パンタグラフ式リンク機構
１０  上下移動用ネジ
１１  上下移動用ハンドル
１２  駆動用第一リンク
１３  駆動用第二リンク
【図１】
2011000267.tif 000003
【図２】
2011000267.tif 000004
(57)【要約】【課題】死者を墓の中の遺骨のＤＮＡで復活させ意識記憶も復活させる。【解決手段】死者を墓の中の遺骨のＤＮＡからヒトｉＰＳ細胞初期化３遺伝子Ｏｃｔ３／４、Ｓｏｘ２、Ｋｌｆ４を取り出し増殖させ遺骨ＤＮＡ再生肉体の体全体の細胞に行き渡り各細胞の初期化を若い細胞になるまで戻し記憶は頭蓋骨内側のＤＮＡかその少しの脳のＤＮＡがあれば記憶が初期化する過程で生前の全記憶を取り戻すか右脳聴覚野付近に微弱な電流を流せば暗在系６次元分（あの世）から故人の意識エネルギーが新しい脳に入り死者復活製法２で死者を復活させ不老不死にする。【選択図】なし【特許請求の範囲】
【請求項１】
（イ）ヒトｉＰＳ細胞技術応用体細胞を初期化するのに必要な３つの遺伝子のうちＯｃｔ３／４、Ｓｏｘ２で万能性維持とＫｌｆ４で体細胞が分化したことで得た情報を消しゴムのように消す働きをするので墓の中の死者の約１２００度で火葬した遺骨から細胞を採取し培養し増殖させそこからＤＮＡを取り出しＤＮＡからこれら３つの遺伝子を取り出して増殖させる。
（ロ）増殖したこれら３つの遺伝子を遺骨ＤＮＡからできた死者の再生肉体の体全体の細胞に行き渡るように壊れないようにして各細胞の初期化を若い細胞になるまで戻す。
（ハ）その増殖は止まらないので老化はなくなり若返るしレトロウイルス培養とガン遺伝子には紫外線Ｂ波かビタミンＤでガンになるのを防ぐ。
（二）墓の中の頭蓋骨内側のＤＮＡかその少しの脳のＤＮＡあれば上記のように初期化して生まれて死ぬまでの記憶までも時間とは逆に遡り生前の全記憶を取り戻す。
（ホ）大脳をｉＰＳ細胞技術で作った後、右脳聴覚野付近に微弱な電流を流すと体外離脱しその近くに故人の体外離脱エネルギー（意識エネルギー）が近づき一緒に体外離脱行動も出来るから暗在系６次元分（あの世）から故人の意識エネルギーが新しいｉＰＳ細胞技術で作った右脳か大脳に入り意識記憶も復活する。
以上の如く特徴を持つヒトｉＰＳ細胞初期化３遺伝子利用右脳聴覚野付近電極刺激意識利用死者復活製法２。
【発明の詳細な説明】
【技術分野】
【０００１】本発明は、ヒトｉＰＳ細胞初期化３遺伝子利用右脳聴覚野付近電極刺激意識利用死者復活製法２に関する。
【背景技術】
【０００２】  従来、ヒトｉＰＳ細胞初期化３遺伝子利用右脳聴覚野付近電極刺激意識利用死者復活製法２の意識復活に関する技術はなかった。【０００３】
【非特許文献１】「読売新聞」２００８年１月２７日、１９頁。
【非特許文献２】「ニュートン」２００８年２月号、７０頁から７５頁。
【非特許文献３】「ムー」２０１０年８月号、１０７頁から１０８頁。
【非特許文献４】「ニューイングランドジャーナルオブメディスン」２００７年１０月３１日
【特許文献１】特開２００８−１５４５９６
【特許文献２】特開２００６−０１８８５５
【特許文献３】特開２００５−２９３６１７
【発明の開示】
【発明が解決しようとする課題】
【０００４】  従来、ヒトｉＰＳ細胞初期化３遺伝子利用右脳聴覚野付近電極刺激意識利用死者復活製法２の意識復活に関する技術はなかったので最新技術よって実現させる。
【課題を解決するための手段】
【０００５】  ヒトｉＰＳ細胞初期化３遺伝子を取り出し増殖させ墓の中の遺骨ＤＮＡからの再生肉体の体全体の細胞に行き渡り老化した各細胞の初期化を若い細胞になるまで戻すためで脳の記憶は頭蓋骨内側のＤＮＡかその少しの脳のＤＮＡあれば記憶が初期化する過程で生前の全記憶を取り戻すし右脳聴覚野付近電極刺激で暗在系６次元分（あの世）からの意識復活。
【発明の効果】
【０００６】  死者復活製法の意識復活と不老不死の肉体を保てる。
【発明を実施するための最良の形態】
【０００７】    以下、本発明の実施例について時系列的論理的に文章で説明する。先ず、ヒトｉＰＳ細胞初期化３遺伝子のうちＯｃｔ３／４、Ｓｏｘ２で万能性維持とＫｌｆ４で体細胞が分化したことで得た情報を消す働きのものを墓の中の死者の１２００度で火葬した遺骨から細胞を採取しその中のＤＮＡからこれら３遺伝子を取り出して増殖させる。増殖したこれらの３遺伝子を壊れないようにして遺骨ＤＮＡからできた死者の再生肉体老人の体全体の細胞に行き渡り老化した各細胞の初期化を若い細胞になるまで戻す。その増殖は止まらないので老化はなくなり若返るしレトロウイルス培養とガン遺伝子には紫外線Ｂ波かビタミンＤでガンになるのを防ぐ。墓の中の頭蓋骨内側のＤＮＡかその少しの脳のＤＮＡあれば上記のように初期化して生まれて死ぬまでの記憶までも時間とは逆に遡り生前の全記憶を取り戻す。大脳をｉＰＳ細胞技術で作った後、右脳聴覚野付近に微弱な電流を流すと体外離脱しその近くに故人の体外離脱エネルギー（意識エネルギー）が近づき一緒に体外離脱行動も出来るから暗在系６次元分（あの世）から故人の意識エネルギーが新しいｉＰＳ細胞技術で作った右脳か大脳に入り意識記憶も復活する。以上の如く特徴を持つヒトｉＰＳ細胞初期化３遺伝子利用右脳聴覚野付近電極刺激意識利用死者復活製法２。
(57)【要約】【課題】  潮流が速い所や底質が柔らかい所など、アマモ着生が困難な場所でも、アマモを着生させることができ、さらに効率良く、容易に施工できるアマモ着生用基盤材を提供する。【解決手段】原料は、全て生分解性樹脂を使用して製造し、アマモの地下茎や根が絡まりやすい網状骨格体の構造をした生分解性の基盤材である。また、この基盤材は、小型で軽量なため、施工作業が行いやすくなっている。【選択図】図２
2011000104.tif 000002
【特許請求の範囲】
【請求項１】
原料の全てを生分解性樹脂で製造した、アマモ着生用基盤材。
【請求項２】
請求項１のアマモ着生用基盤材を使用した、アマモ場造成方法。
【発明の詳細な説明】
【技術分野】
【０００１】  本発明は、アマモの着生用の基盤材および、アマモ着生用基盤材を使用した、アマモ場造成方法に関するものである。
【背景技術】
【０００２】  アマモ場は、「海のゆりかご」と言われ、魚類の産卵や稚魚の成育の場となってきた。また、水質・底質浄化、二酸化炭素の固定、海底地形の安定化など多くの重要な機能を担ってきた。しかし、近年、沿岸域の埋め立てや、水質の悪化、海砂の採集など様々な原因からアマモ場は減少してきており、沿岸漁魚生産に影響が出てきた。そこで、失われたアマモ場を再生するために、直接アマモの種子を蒔いて自然発芽させたり、他の海域から採取したアマモを移植したりする方法が行われてきた。アマモの生育に適した条件が整った場所ならそれらの方法でアマモは繁殖できたが、潮流が速い、浮泥がたまりやすい、海底地盤が軟らかいなどといった所でアマモを着生させることは困難であった。【０００３】  移植方法では、地下茎を粘土で巻いたり、コンクリートの補助枠付の金網マットを用いたりして移植を行ってきた。しかし、これらの施工方法は、潮流の速い場所や、砂地が流れやすい海底では施工が困難であった。また、アマモは海底を這うように周りに広がっていく性質があり、例え大型の金網マットを設置できても、海底上に段差や障害物があれば、アマモ場の造成は困難になった。また、大型の施設工費は高コストであった。
【発明が解決しようとする課題】
【０００４】  そこで、本発明は、アマモの着生が困難である、潮流が速い、底質が軟らかいといった場所でも、効率よく大量に低コストでアマモ場を造成できるアマモ着生用基盤材、およびその方法を提供することを目的とする。
【課題を解決するための手段】
【０００５】  上記目的を達成するために、本発明のアマモ着生用基盤材は網状骨格体でアマモの地下部の生育と分枝伸張を助長させる。つまりは、本基盤材自体、アマモの生育、地下茎の伸張分枝を阻害せず、アマモの根が本基盤材を利用して、伸張し絡みつくことで、強固に海底地盤に固着することができる。さらに、この網状骨格体は、空隙が大きく立体的な構造となっていることから、本基盤材の海底への固着力は大きい。また、本基盤材は大きさを自由に変えることができ、さらに本基盤材同士を自由に組み合わせることで海底の面積・形状にあった設置が可能となり、施工も容易である。
【０００６】  さらに、本アマモ着生用基盤材は、原料の全てが生分解性樹脂からできており、アマモが海底に根を下ろしたときには、海中に残ることなく自然に分解され、造成されたアマモ場およびその周辺の環境に負荷を与えることはない。
【発明を実施するための形態】
【０００７】  アマモを着生させ、アマモ場造成に適するように、本発明を実施するための形態を以下に説明する。
【０００８】  本基盤材を図３のように配置し、本基盤材の間隙にアマモ地下茎を差込み、既存のアマモ場内でアマモが消失した海底面と、水理的制限によるアマモ未生育地に、本基盤材の上面が海底面と一致するよう海底に埋め込んで、設置した。また、本基盤材には、図１と図２に示すように形が異なった２種類があり、両者各々、図３が示すように設置した。その結果、各試験地において海底面全体に大きな掘削痕や砂泥の堆積による埋没などは見られず、試験区内に設置した基盤材の流失や植食生物によるアマモの食害は認められなかった。また、アマモは、水温が高い夏から秋にかけて、夏枯れ現象を起こし、アマモが減少することがあったが、水温が低くなる１２月以降は、アマモは急激に増殖した。また、図２の方が、図１のものよりアマモの夏枯れ期の生残率が高く、増殖期においても１５％程度高かった。しかし、図１でも十分なアマモ場を造成することが出来た。
【発明の効果】
【０００９】  本発明のアマモ着生用基盤材を用いることで、容易に施工を行うことが出来、既存のアマモ場だけでなく、水理的要因を受けるアマモ未生育地や海底地盤が軟らかい所でも、アマモを海底に着生させることができる。
【００１０】  多くのアマモが着生し、アマモ場が造成されたときには、生分解性樹脂でできた本基盤材は、二酸化炭素と水に分解されている。よって、本基盤材を用いて造成したアマモ場は自然のアマモ場と変わらず、卵を産みつける魚や、成育の場としている稚魚も安心して棲むことができる場となっている。さらに、本基盤材が分解する上で発生する二酸化炭素を、その場に着生したアマモが吸収・固定するとしたら、本基盤材は、自然循環の一部として考えることができる。
本基盤材は、比較的容易な施工によって、アマモ場の回復や新たなアマモ場の造成が可能になると期待される。さらに、コアマモやウミヒルモなどの被覆海草のほか、ガラモやクロメなど広く海藻の増殖に応用できる可能性がある。
【図面の簡単な説明】
【００１１】
【図１】  本発明品のアマモ着生用基盤材（型式１）の斜視図である。
【図２】  本発明品のアマモ着生用基盤材（型式２）の平面図である。
【図３】  本発明品のアマモ着生用基盤材の設置方法を示した図である。（ａ）がアマモ着生用基盤材である。
【図１】
2011000104.tif 000003
【図２】
2011000104.tif 000004
【図３】
2011000104.tif 000005
(57)【要約】【課題】  園芸を行う際に必要な数種類の用土を、それぞれ最適量に袋詰めした園芸用土詰め合わせ商品を提供する。【解決手段】  ひとつの袋体を熱溶着シール等で複数に区分けし、それぞれの区分け部に違う種類の用土を、プランターあるいは植木鉢の容量に応じた最適な量で、かつ、敷設順にそれぞれの用土を端から順に詰め合わせたことを特徴とする園芸用土詰め合わせ商品。【選択図】図１
2011000108.tif 000002
【特許請求の範囲】
【請求項１】
ひとつの袋体を熱溶着シール等で複数に区分けし、それぞれの区分け部に違う種類の用土を詰め合わせたことを特徴とする園芸用土詰め合わせ商品。
【請求項２】
プランターあるいは植木鉢の容量に応じて、それぞれの用土の量を最適な配分量に詰め合わせた請求項１の園芸用土詰め合わせ商品。
【請求項３】
プランターあるいは植木鉢への用土敷設順に応じて、それぞれの用土を端から順に詰め合わせた請求項１の園芸用土詰め合わせ商品。
【発明の詳細な説明】
【技術分野】
【０００１】  本発明は、園芸を行う際に必要な数種類の用土を、それぞれ最適量に袋詰めした園芸用土詰め合わせ商品に関するものである。
【背景技術】
【０００２】  従来の培養土、鉢底石、鹿沼土などの園芸用土は、それぞれが一定の容量に単独で袋詰めされて商品化されていた。したがって、消費者は一袋単位でそれぞれの用土を購入する必要があった。
【発明の開示】
【発明が解決しようとする課題】
【０００３】  そのために、次のような問題点があった。
（イ）プランターや植木鉢の用土敷設を行う際に、それぞれの使用量が違うため過不足が生じた。
（ロ）余った用土を保管するスペースを必要とした。
（ハ）それぞれの用土の選択を間違える場合があった。
（ニ）必要な用土を買い忘れる場合があった。
本発明は以上の問題点を解決しようとするものである。
【課題を解決するための手段】
【０００４】  ひとつの袋体を熱溶着シール等で複数に区分けし、それぞれの区分け部に違う種類の用土を、プランターあるいは植木鉢の容量に応じて、それぞれ最適な配分量で、かつ、プランターあるいは植木鉢への用土敷設順に応じて、それぞれの用土を袋体の端から順に詰め合わせた園芸用土詰め合わせ商品である。
【発明の効果】
【０００５】  本発明は、必要とする数種類の用土をそれぞれ必要に応じた分量にひとつの袋体に詰め合わせるので、個々の用土の過不足が生じず、用土を買い間違えたり、買い忘れたりすることがない。また、用土の選択に悩むこともなく、失敗のない用土選びが可能となる。
また、用土を敷設の順番に並べて詰め合わせるので、端から順に開封し敷設していけば良く、作業性が向上するとともに間違いを無くすことができる。
【発明を実施するための最良の形態】
【０００６】  以下、本発明の実施の形態を説明する。
（イ）軟質プラスチックフィルム等でなる袋体（１）を詰め合わせる用土の種類数に応じた数および容量、敷設順の区分けを熱溶着シール（３）などの手段で行う。
（ロ）区分けした袋体のそれぞれの区分け部（４ａ、４ｂ、４ｃ）にそれぞれの用土（５ａ、５ｂ、５ｃ）を詰める。
（ハ）各区分け部の開放端部を熱溶着シール（６）などで密閉する。
本発明は、以上の構成よりなっている。
前記説明は、３種類の用土の詰め合わせを例にしているが、２種類あるいは３種類以上の詰め合わせについても同様である。
【図面の簡単な説明】
【０００７】
【図１】本発明の全体斜視図
【図２】本発明の袋体区分けを示す図
【図３】本発明の袋体区分けの順番を示す図
【符号の説明】
【０００８】１    袋体
２    底部熱圧着シール
３    区分け熱圧着シール
４ａ  区分けイ
４ｂ  区分けロ
４ｃ  区分けハ
５ａ  用土イ
５ｂ  用土ロ
５ｃ  用土ハ
６    密閉熱溶着シール
【図１】
2011000108.tif 000003
【図２】
2011000108.tif 000004
【図３】
2011000108.tif 000005
(57)【要約】      （修正有）【課題】菊芋の固形菓子の製造方法を提供する。【解決手段】菊芋の素材のもつ短時間で軟化、変色する欠点を迅速なる方法で洗浄、乾燥、スライスと処理し、つぎに微粉砕し、湿度を加え焼成する技術を用いて固形菓子を製造する。血糖値抑制や、胃腸内の消化機能を活性化させる成分イヌリンを多く含有する菊芋を固形菓子にすることにより、容易に、そして安価に食することができ健康増進に有益である。【選択図】図１
2011000110.tif 000002
【特許請求の範囲】
【請求項１】
菊芋の素材のもつ短時間で軟化、変色する欠点を迅速なる方法で洗浄、乾燥、スライスと処理し、つぎに微粉砕し、湿度を加え焼成する技術を用いて固形菓子を製造する過程を特徴とする菊芋の固形菓子の製造方法。
【発明の詳細な説明】
【技術分野】
【０００１】本発明は根菜である菊芋を固形菓子にするための製造技術に関するものである。
【背景技術】
【０００２】従来、菊芋の加工食品には錠剤、ドリンク、チップ、漬物等の製品化された物はある。
【発明の開示】
【発明が解決しようとする課題】
【０００３】しかし錠剤やドリンクは、製造過程で非常に費用がかかり高価となる欠点があり、チップは菊芋の素材に粘度がないため純度の高い製品にした場合、非常に壊れやすく保管が容易でない欠点があった。漬物は、塩分の摂取量の懸念があった。
【課題を解決するための手段】
【０００４】本発明は、菊芋の素材のもつ短時間で軟化、変色する欠点を迅速なる方法で洗浄、乾燥、スライスと処理し、つぎに微粉砕し、湿度を加え焼成する技術を用いて菊芋の粉末を使用した固形菓子を製造し上記課題を解決した。
【発明の効果】
【０００５】本発明は、菊芋の掘り出しから洗浄、スライス、乾燥を迅速に一貫した工程で処理することにより菊芋素材の劣化を防ぐことができ、乾燥した菊芋を微粉砕し、湿度を加え焼成することにより、きめの細かい固形菓子を製造、安価に提供することができる。菊芋に多く含まれるイヌリンの成分は高血糖値抑制と消化器機能を活性化させる薬効があり、これを食することにより、健康増進に効果がある。
【発明を実施するための最良の形態】
【０００６】菊芋の生芋は水分を多く含むため、掘り出した芋の保存は、空気を遮断した冷暗所に２日位を限度とする。作業工程としては、図面の［第１図］に示す如く洗浄、スライス、乾燥、微粉砕、加湿、焼き成型固形菓子とする。洗浄から、固形菓子になるまでの作業工程は一貫して連続作業で仕上げる。固形菓子にした後も、吸湿性が大きいので、真空パック又は、乾燥容器で保管する。
【図面の簡単な説明】
【０００７】
【図１】本発明の菊芋の固形菓子の製造方法の実施の形態を示す製造工程図である。
【図１】
2011000110.tif 000003
(57)【要約】【課題】本発明はこんにゃくが従来ような副食だけ、あるいは和食だけにになりがちなこんにゃくの用途の幅を広げ、子供や若い人たちがファーストフードを食べるようにおやつ感覚で手軽に食べられる食品を提供する。【解決手段】加熱後どろどろにしたまいたけと上新粉にこんにゃく原料を混ぜ合わせ成型加熱し固めたものを冷ました後、凍結解凍その後みじん切りにし卵白を混和し、後でこんにゃく粉と水酸化カルシウムを混合、香辛料、調味料を混ぜ合わせソーセージ型に成型する。【特許請求の範囲】
【請求項１】
まいたけ、上新粉、こんにゃく粉を所定の配合比率で混合し、凝固させることを特徴とするまいたけこんにゃくの加工食品の加工方法。
【請求項２】
前述のできたこんにゃくは凍結させ解凍することを特徴とする加工食品の加工方法。
【請求項３】
前記の解凍したまいたけこんにゃくは、そぼろのようにみじん切りにすることを特徴とするまいたけこんにゃくの加工食品の加工方法
【請求項４】
前記のみじん切りのまいたけこんにゃくに生の卵白を混合したことを特徴とするまいたけこんにゃくの加工食品の加工方法。
【請求項５】
前記の卵白を混合したみじん切りのまいたけこんにゃくにこんにゃく粉と水酸化カルシウムを混合することを特徴とするまいたけこんにゃくの加工食品の加工方法
【請求項６】
前記のこんにゃく粉と混合したのり状のまいたけこんにゃくに香辛料、調味料を混合し、ソーセージ状に成型し凝固させることを特徴とするまいたけこんにゃくソーセージの加工方法。
【発明の詳細な説明】
【技術分野】
【０００１】  本発明は、こんにゃく及びまいたけを主体としたソーセージに関するものである。
【背景技術】
【０００２】  従来、こんにゃくにおからを混和して加工食品を製造することによって低カロリーを実現し、健康食品、ダイエット食品として利用されていることは知られている。（特許文献１参）
【特許文献１】特許公開２００２−２７２４０１
【発明の開示】
【発明が解決しようとする課題】
【０００３】  本発明は、従来のこんにゃくまたはおからこんにゃくはダイエット効果のことも考えつつも副食、多くは和食としての食材として利用されることが多かったことに着目し、視点を変えてファーストフードのように街角で子供たちや若い人たちが気軽にほおばったり、パンにはさんで簡単に軽食にできるローカロリーのこんにゃくソーセージを作ることを課題とし解決するためになされたものである。
【課題を解決するための手段】
【０００４】  まいたけに熱を加えてどろどろにしたものに上新粉、こんにゃく粉、水酸化カルシウムを混和し、熱し固めたものを冷ました後、凍結解凍し、ひき肉状にしたものに卵白、こんにゃく原料その他の香辛料、調味料を加えてソーセージ状に成型してもう一度ゆでたものである。
【発明の効果】
【０００５】      本発明はソーセージの形にすることによって子供たちがこんにゃくに対して少しでも親しみを覚えてくれることや、家の中だけでなくお祭り、イベント会場などでもいろいろな人が気軽に口にできるようになるのではないか。また、食物繊維が豊富でローカロリーなこんにゃくとやはり食物繊維が豊富でローカロリーな原材料同士をミックスさせて作るダイエットにぴったりのヘルシーなおやつになることが期待できる。
【発明を実施するための最良の形態】
【０００６】以下、本発明の実施の形態を説明する。
（イ）２５０ｇの軽くゆでたまいたけと水とでカップの目盛り４００ｃｃ▲１▼とする。
（ロ）フードカッターに▲１▼を入れ、上新粉２０ｇも入れる。スイッチを入れ、どろどろ▲２▼にする。
（ハ）その▲２▼の中に２０ｇの手作りこんにゃくの素（こんにゃく粉＋水酸化カルシウム）を入れよくかき混ぜ成型▲３▼する。
（ニ）▲３▼を１〜２時間放置後３０分程ゆで、自然にさます▲４▼。
（ホ）さめた▲４▼を冷凍し凍結後解凍する▲５▼。
（ヘ）解凍後の▲５▼三分の一をひき肉状にみじん切りにしたものに卵白２個分、こんにゃく粉２０ｇ、水酸化カルシウム、香辛料、調味料を加えてソーセージ状に成型してもう一度３０分程ゆでる。
本発明は以上の構成よりなっている。
(57)【要約】【課題】  従来、ミツバチの害虫であるハチノスツヅリガの有効な防除方法がなく、ミツバチの巣の食害、および蜂蜜の品質の低下があった。【解決手段】  ミツバチの発する熱気と臭気を利用して、それに誘引されるハチノスツヅリガを装置内に誘引し、装置内に装着した粘着シートにより捕獲する。これによりミツバチの巣箱内へのハチノスツヅリガの侵入、産卵を減少させ、その害を軽減する。【選択図】図１
2011000116.tif 000002
【特許請求の範囲】
【請求項１】
装置にミツバチの発する熱気および臭気を取り込む吸気口を設け、装置内をミツバチの熱気および臭気の通路とし、その熱気および臭気を排出する排出口を設けたハチノスツヅリガ捕獲装置。
【請求項２】
装置内部のミツバチの熱気および臭気の通路に粘着シートを装着することとした、請求項１記載のハチノスツヅリガ捕獲装置。
【請求項３】
排気口に開閉できる網戸を設けた、請求項１記載のハチノスツヅリガ捕獲装置
【請求項４】
吸気口に網を設けた、請求項１記載のハチノスツヅリガ捕獲装置
【発明の詳細な説明】
【技術分野】
【０００１】  本発明は、養蜂における、ハチノスツヅリガの害を防ぐ技術に関するものである。
【背景技術】
【０００２】  従来、ハチノスツヅリガの害を防ぐ方法として、不妊雄法、農薬による防除法、ウイルスによる生物的防除法などが検討されたが有効な技術はなかった。【０００３】  この発明に関連する文献、刊行物の所在を知りませんので、先行技術文献の欄を省略します。
【発明の概要】
【発明が解決しようとする課題】
【０００４】  ハチノスツヅリガに対して、従来は、蜂群の管理に細心の注意を払い健全な蜂群の維持に努めることぐらいで、夜間ハチノスツヅリガが、巣箱内に侵入してきて産卵するのを防ぐ手段がなく、その幼虫の食害で蜂群の勢力が落ち、蜂蜜の収量および品質が低下するなどの害があった。【０００５】  本発明は、より健全な蜂群を維持するため、ハチノスツヅリガを誘引捕獲する、ハチノスツヅリガ捕獲装置を提供することを目的とするものである。
【課題を解決するための手段】
【０００６】  本発明は、夜間、ミツバチの熱気および臭気を探り当て、産卵しに集まってくるハチノスツヅリガの成虫の習性を利用したものである。【０００７】  装置に設けられた吸気口からミツバチ巣箱内のミツバチの発する熱気および臭気を装置内に取り込み、装置に設けられた排気口からその熱気および臭気を排出することとし、排気口から排出された熱気および臭気でハチノスツヅリガを装置内に誘引するようにしたものである。【０００８】  また、装置内部のミツバチの熱気および臭気の通路に粘着シートを装着し、これによりミツバチの熱気および臭気の排出口から侵入してきたハチノスツヅリガを捕獲できるようにした。【０００９】  また、排気口に開閉できる網戸を設けることとし、これにより昼間網戸を閉じることにより、昼間のミツバチ活動時間の、ミツバチの迷い込みを防げるようにした。【００１０】  また吸気口に網を設けることで、粘着シートで捕獲できなかったハチノスツヅリガがミツバチの巣箱に侵入するのを防ぐと共に、ミツバチが装置内部に迷い込むのを防ぐ。
【発明の効果】
【００１１】  本発明の装置を、ミツバチの巣箱に設置すると、ミツバチの熱気と臭気は対流作用により吸気口から装置内に上昇流入し、装置内に設置した内側粘着面の角型筒状の粘着シートを通り、排出口から排出される。【００１２】  排出口から排出されたミツバチの熱気と臭気により誘引されたハチノスツヅリガは、その排出口から装置内部に侵入する。【００１３】  侵入したハチノスツヅリガは、装置内に設置した粘着シートにより捕獲される。【００１４】  また、排気口に開閉する網戸を設けることにより、昼間網戸を閉じて、昼間活動するミツバチの迷い込みを防げる。【００１５】  また吸気口に網を設けることで、粘着シートで捕獲できなかったハチノスツヅリガがミツバチの巣箱に侵入するのを防ぐと共に、ミツバチが装置内部に迷い込むのを防ぐ。【００１６】  本発明によるハチノスツヅリガの駆除法は、薬剤を使用しないため、ミツバチの健康に悪影響を与えないとともに、蜂蜜への残留農薬もない。【００１７】  また、本発明によるハチノスツヅリガ捕獲装置は、ハチノスツヅリガだけでなく、養蜂において一般にスムシと呼ばれる害虫全般を誘引捕獲する効果がある。
【図面の簡単な説明】
【００１８】
【図１】  本発明の実施形態を示すハチノスツヅリガ捕獲装置の図２におけるＡ−Ａ線断面図
【図２】  本発明の実施形態を示すハチノスツヅリガ捕獲装置の下面の外観図
【図３】  同捕獲装置の図２におけるＢ−Ｂ線断面図
【図４】  同捕獲装置の排気口側から見た側面外観図
【発明を実施するための形態】
【００１９】  以下、本発明の実施の形態を添付図面に基づいて説明する。
【００２０】  ハチノスツヅリガ捕獲装置本体１の底部にミツバチの熱気と臭気の入り口となる吸気口２を設ける。
【００２１】  その吸気口に、ミツバチの迷い込み、および粘着シートで捕獲できなかったハチノスツヅリガのミツバチの巣箱への侵入を防ぐ網３を設置する。
【００２２】  装置側面に、ミツバチの熱気と臭気を排気する排気口４を設ける。
【００２３】  排気口４を設けた箇所に、排気口が網戸で開閉するように、開閉する網戸のガイド８と、網戸７を設ける。
【００２４】  装置内に、内側粘着面の角型筒状の粘着シート５を、吸気口から入ったミツバチの熱気と臭気が角型筒状の粘着シートの内側を通って排気口から排出するように、設置する。
【００２５】  粘着シートは、開閉する蓋６をとって、取り替えることができる。
【００２６】  本装置を、ミツバチの巣箱の上に、吸気口２からミツバチの熱気と臭気が流入するように設置し、網戸ガイド８に設置した網戸７を、排気口４が開放するよう動かす。
【００２７】  装置が、吸気口２から内側粘着面の角型筒状の粘着シート５を通り排気口４までの、ミツバチの熱気と臭気の通路となる。
【００２８】  排気口４からミツバチの熱気と臭気が排出されるので、それにより誘引されたハチノスツヅリガは、排気口４から装置内部に侵入する。
【００２９】  侵入したハチノスツヅリガは、排気口に続く、設置された角型筒状の粘着シート５に粘着捕獲される。
【００３０】  ハチノスツヅリガは主に夜間活動するので、排気口４に設けられた開閉する網戸７は、夜間開放して、昼間は閉じておくと、昼間のミツバチの迷い込みを防げる。
【００３１】  なお、開閉する網戸７は、光センサーで作動する自動開閉装置や、タイマーで作動する自動開閉装置を組み合わせると、毎日の網戸の開閉を省略できる。
【符号の説明】
【００３２】  １  ハチノスツヅリガ捕獲装置本体
２  吸気口
３  網
４  排気口
５  粘着シート
６  蓋
７  網戸
８  網戸ガイド
【図１】
2011000116.tif 000003
【図２】
2011000116.tif 000004
【図３】
2011000116.tif 000005
【図４】
2011000116.tif 000006
(57)【要約】      （修正有）【課題】暗い場所での読み、書きが必要な時は、手元を明るくして作業効率が上がるピカ板を提供する。【解決手段】ファイル１の下にエルトップ２を敷き、エルトップの電源収納部４及び資料入れ３を一体化し、ファイル１とエルトップの明るい光源を合体させたことで、屋内、屋外にかぎらず暗い場所での作業に他の光源の懐中電灯、又はヘッドライト等よりも、ファイル１の部分全体が明るくなるので、ファイル１の上での見たり、書いたりする作業が楽になる。【選択図】図２
2011000874.tif 000002
【特許請求の範囲】
【請求項１】
透明のファイルの下に光源（ＥＬエルトップ＝既成品）を敷き、薄暗い作業場又は、夜間作業時等、手元を明るくし、作業を進めやすい状況にする、ピカ板。
【発明の詳細な説明】
【技術分野】
【０００１】この発明は、屋内、屋外にかぎらず、暗い場所での作業に他の光源の懐中電灯、又はヘッドライト等よりも、ファイルの部分全体が明るくなるので、ファイルの上での見たり、書いたりする作業が楽になる、ピカ板に関するものである。
【背景技術】
【０００２】従来のファイルは、暗い場所での筆記作業や図を見たり、文章を読んだりする時は、懐中電灯やヘッドライト等で照らして作業をしていて、照度不足の中での作業となっている。
【発明の開示】
【発明が解決しょうとする課題】
【０００３】従来のファイルは、次のような欠点があった。
（イ）従来のファイルは、夜間及び暗い場所では、部分的に明かりを当てる懐中電灯、ヘッドライトなどで行われ、読み書きの作業がやりにくかった。
本発明は、以上のような欠点を無くす為になされたものである。
【課題を解決する為の手段】
【０００４】ファイルの下から、光源であるエルトップ（既成品）の光を全面に当て、読み、書きの作業を容易にすることが出来る。
本発明は、透明のファイルとエルトップを合体させた構成よりなる、ピカ板である。
【発明の効果】
【０００５】ファイルとエルトップの明るい光源を合体させたことで、暗い場所でも明るい手元で読み、書き作業を容易に行うことが出来、作業もはかどる。
【発明を実施する為の最良の形態】
【０００６】以下、本発明を実施する為の最良の形態について説明する。
ファイルとエルトップ、そして、エルトップの電源部（インバーター及び乾電池）の収納部、及び、資料を入れておく部分とを一つにまとめた。
エルトップの電源は、〈１〉車内ならシガーライターから、〈２〉室内外のコンセントから、〈３〉持ち歩いて使用する時は、乾電池からとることが出来る。
【図面の簡単な説明】
【０００７】
【図１】  本発明の斜視図である。
【図２】  本発明の断面図である。
【符号の説明】
【０００８】  １、    ファイル
２、    エルトップ
３、    資料入れ
４、    エルトップ電源部
【図１】
2011000874.tif 000003
【図２】
2011000874.tif 000004
(57)【要約】【課題】１枚の木の原版から、漢字や文字を彫り出す浮き彫り彫刻は、風格や気品があると市場では高い評価を受けているものであるが、草書や崩し文字といった複雑で繊細な曲線を彫り出していく浮き彫り彫刻の製作に当っては、職人の熟練した高度な技が必要な他、膨大な時間と労力を要し、最終仕上がり作品が非常に高価なものとなってしまうと共に、同じ字体の複数の作品を大量に製作することは不可能であった。【解決手段】最も技の熟練と時間を要する、複雑な曲線の文字の切り出しにおいて、切り出し刃の長さを調整した特殊ジグソーを使用することにより、一定の深さで正確かつ短時間で切り出しを行う。特殊ジグソーに使用する切り出し刃は、木の原版を貫くものではなく、任意の彫り出したい深さに調節されたものである。また、樫や欅といった硬い原木に対しては、硬い原木用の切り出し刃に交換することにより、同様の効果を挙げることが可能である。【選択図】図１
2011000875.tif 000002
【特許請求の範囲】
【請求項１】
木製の原版に対し、ほぼ直角の角度かつ一定の深さで、複雑な曲線の切り出しを短時間で正確に行える浮き彫りの木製彫刻
【発明の詳細な説明】
【技術分野】
【０００１】短時間で正確に、かつ一定の深さで、複雑な曲線の切り出しが可能となる、木製の彫刻技術に属する。
【背景技術】
【０００２】高度に熟練した職人が、ノミ１本で切り出しを行っていたが、複雑かつ繊細な曲線部分の切り出しや、樫や欅といった硬い原木の切り出しは困難かつ複雑な作業であり、製作に当っては膨大な時間と労力を要していた。【０００３】ルーター、グラインダーといった電動の掘り出し工具を使用する方法もあるが、これらは軸を回転させ削っていく工法であり、特に細かな曲線部においては回転軸がぶれ易く、やはり熟練度と時間、労力が必要である。【０００４】コンピューターとレーザーを組合わせた曲線カットの技術も確立されているが、原版を切断してしまい、任意の深さで切り出しを行うことは出来ない。
【発明の概要】
【発明が解決しようとする課題】
【０００５】１枚の木の原版から、漢字や文字を彫り出す浮き彫り彫刻は、風格や気品があると市場では高い評価を受けているものであるが、草書や崩し文字といった複雑で繊細な曲線を彫り出していく浮き彫り彫刻の製作に当っては、職人の熟練した高度な技が必要な他、膨大な時間と労力を要し、最終仕上がり作品が非常に高価なものとなってしまうと共に、同じ字体の複数の作品を大量に製作するすることは不可能であった。
【課題を解決するための手段】
【０００６】最も技の熟練と時間を要する、複雑な曲線の文字の切り出しにおいて、切り出し刃の長さを調整した特殊ジグソーを使用することにより、一定の深さで正確かつ短時間で切り出しを行う。特殊ジグソーに使用する切り出し刃は、木の原版を貫くものではなく、任意の彫り出したい深さに調節されたものである。
また、樫や欅といった硬い原木に対しては、硬い原木用の切り出し刃に交換することにより、同様の効果を挙げることが可能である。
【発明の効果】
【０００７】複雑かつ繊細な曲線の切り出しが、要求される一定の深さで短時間で可能となる。
また、同じ字体の複数の作品が短期間で作成可能となる。
加えて、短期間の技術研修、技術の取得によって、誰でもが製作に携わることが可能となる。
【図面の簡単な説明】
【０００８】
【図１】は、特殊ジグソーの基本的な切り出し構造を示したものである。
【図２】は、切り出す文字の両側を切り出した断面図。
【図３】は、切り出す文字の両側を削りだした断面図。
【図４】は、文字が掘り出された断面図。
【発明を実施するための形態】
【０００９】木の原版の厚みに対し、切り出しを行いたい任意の深さに対応した切り出し刃を選択し、ジグソー工具に取り付ける。樫や欅のような硬い原版に対しては、硬い木に対応した切り出し刃を選択する。
【００１０】切り出し刃は〔図１〕のように、ジグソー工具の駆動部により高速で上下運動を行い、一定の深さで掘り進んでいく。
【００１１】切り出し刃は、前後の振り子動作を併せることにより、作業効率を上げることも出来る。
【００１２】作業者は、予め原版に引かれた文字の曲線に沿って、切り出し刃を動かしていく。
【００１３】原版は切断されること無く、〔図１〕及び〔図２〕のように、一定の深さで切り出されていく。
【００１４】切り出し作業終了後は、〔図３〕のように、彫り出したい文字や図形の側面を電動ノミなどで削り出し、〔図４〕のとおり彫り出したい文字を浮き上がらせる。
【産業上の利用可能性】
【００１５】ジグソーは、高速で曲線の切断カットを行える工具・技術であるが、本発明は、原版に対し一定の深さで切り出していく技術であり、切断を目的とはしていない点が最大の特徴である。これまで高価なものであった浮き彫り彫刻がより安価でかつ短期間で製造できる大きな可能性がある。
【符号の説明】
【００１６】  ａ．ジグソー機械本体
ｂ．切り出し刃
ｃ．木製原版
ｄ．切り出された溝
ｅ．切り出される文字
ｆ．文字側面の削り部
【図１】
2011000875.tif 000003
【図２】
2011000875.tif 000004
【図３】
2011000875.tif 000005
【図４】
2011000875.tif 000006
(57)【要約】【課題】繊維に伸縮を加えた際に伸縮以前と比較して異なる色柄を見せることを提供する。【解決手段】伸縮する生地（１）の表面に、その生地（１）を覆い隠す素材（２）を貼り付けることで、通常は素材（２）が見えている状態から伸ばした際に、隠れていた生地（１）の色柄が見えるようにしたことを特徴とする繊維。【選択図】図２
2011000873.tif 000002
【特許請求の範囲】
【請求項１】
伸縮する生地（１）の表面に、生地（１）を覆い隠す素材（２）を貼り付けることで、通常は素材（２）が見えている状態から伸ばした際に隠れていた生地（１）の色柄が見えることを特徴とする繊維。
【発明の詳細な説明】
【技術分野】
【０００１】  本発明は、衣料品等の繊維に関するものである。
【背景技術】
【０００２】  従来の衣料品等に用いる繊維は、織りや印刷等で色柄を付けたものであった。
【発明の概要】
【発明が解決しようとする課題】
【０００３】  本発明は、繊維に伸縮を加えた際に伸縮以前と比較して異なる色柄を見せることを課題とする。これまでの繊維では、光の反射や伸縮して薄くなることで色柄が変化するものはあるものの、伸縮によってそれまで見えなかった色柄が表面に現れるものはなかった。
【課題を解決するための手段】
【０００４】  以上の課題を解決するために、本発明は、伸縮する生地（１）の表面に、その生地（１）を覆い隠す素材（２）を貼り付けることで、通常は素材（２）が見えている状態から伸ばした際に、隠れていた生地（１）の色柄が見えるようにしたことを特徴とする繊維である。
【発明の効果】
【０００５】  本発明によれば、人の動きに応じた繊維の伸縮を利用して、動く前とは異なる色柄を見せることができる。
【図面の簡単な説明】
【０００６】
【図１】本発明の伸びる前の表面図である。
【図２】本発明の伸びた後の表面図である。
【図３】本発明の伸びる前の断面図である。
【図４】本発明の伸びた後の断面図である。
【発明を実施するための形態】
【０００７】  本発明の一実施形態を、図２に示す。本体の生地（１）は伸縮する生地であり、この生地の表面には、生地（１）を覆い隠す素材（２）が貼り付けられている。この素材（２）は複数の小片が隣あった配置からなり、伸びる前の状態（図１）では表面から生地（１）の色柄が見えないように設けられている。生地（１）は引っ張られた際に表面から色柄が見えるしくみである。
【符号の説明】
【０００８】  １  伸縮する生地
２  覆い隠す素材
【図１】
2011000873.tif 000003
【図２】
2011000873.tif 000004
【図３】
2011000873.tif 000005
【図４】
2011000873.tif 000006
(57)【要約】【課題】雑草を根の部分から確実に、且つ、簡単に引き抜くことができる草取り器具を提供すること。【解決手段】先端が尖った板状の突刺し部１と、突刺し部１の基端部に取り付けられた柄２とを備え、突刺し部１の先端から基端部へ向かって複数のスリット５を形成してある。突刺し部１は、上面が凹となるよう幅方向に湾曲していると良い。【選択図】図１
2011000030.tif 000002
【特許請求の範囲】
【請求項１】
先端が尖った板状の突刺し部と、該突刺し部の基端部に取り付けられた柄とを備え、前記突刺し部の先端から基端部へ向かって複数のスリットを形成してあることを特徴とした草取り器具。
【請求項２】
前記突刺し部は、上面が凹となるよう幅方向に湾曲している請求項１に記載の草取り器具。
【発明の詳細な説明】
【技術分野】
【０００１】
本発明は、花壇等の雑草を除去するのに用いる草取り器具に関する。
【背景技術】
【０００２】
花壇や畑に生えた雑草を手で取り除く作業は面倒であり、特に、夏は雑草の成長が速く、地面も硬くなっているので、非常な重労働となっている。  
鎌のような草を刈り取る道具を用いることもあるが、雑草の根が残ってしまうだけでなく、雑草と有用な植物が混じっている場合には、一緒に刈り取ってしまうため使用することができなかった。
【０００３】
従来、畑や花壇の雑草を引き抜くための道具として、前端縁が直線の刃状となっている掬い部と、掬い部の後端縁に取り付けられた棒状の柄部を有し、掬い部に前端縁から後端縁側に向けてＶ字状に凹んだ切欠き部を設けた草取り器具が知られている（特許文献１参照）。  
しかし、この草取り器具は、掬い部の前端縁が直線状なので地面に深く差込みにくく、このため、地面が固い場合等には根を掘り起こすことができずに、雑草を引き抜こうとすると途中から切れてしまう虞がある。  
また、切欠き部は先端側が広いＶ字状となっているため、掬い部が回転して引っかかった雑草が先端側へ移動すると、切欠き部から抜け出してしまう心配がある。
【先行技術文献】
【特許文献】
【０００４】
【特許文献１】特開２００８−１９４０１２号公報
【発明の概要】
【発明が解決しようとする課題】
【０００５】
本発明が解決しようとする課題は、雑草を根の部分から確実に、且つ、簡単に引き抜くことができる草取り器具を提供することにある。
【課題を解決するための手段】
【０００６】
本発明の草取り器具は、先端が尖った板状の突刺し部と、該突刺し部の基端部に取り付けられた柄とを備え、前記突刺し部の先端から基端部へ向かって複数のスリットを形成してある。  
前記突刺し部は、上面が凹となるよう幅方向に湾曲していると良い。
【発明の効果】
【０００７】
請求項１に係る発明によれば、先端が尖った突刺し部を雑草の根元近くの地面に深く突刺すことができ、この結果、スリットに雑草の根を引っ掛け、柄を押し下げて突刺し部で土を掘り起こすことにより、スリットで引っ掛けた雑草を土と共に根の部分から簡単に引き抜くことができる。  
また、突刺し部が上方に回転しても、均一な幅のスリットからは雑草が抜け出しにくいので、確実に雑草を抜くことが可能である。  
請求項２に係る発明によれば、突刺し部を地面に突刺しやすくなり、根元周辺の土もいっそう簡単に掘り起こすことができる。
【図面の簡単な説明】
【０００８】
【図１】本発明の実施例を示す草取り器具の斜視図である。
【図２】本発明の実施例に係る突刺し部の断面図である。
【図３】本発明の実施例を示す草取り器具の要部平面図である。
【発明を実施するための形態】
【０００９】
以下、本発明の実施例を図面に基づいて詳細に説明する。  
本発明の草取り器具は、図１に示すように、先端が尖った板状の突刺し部１と、突刺し部１の基端部に取り付けられた柄２とを備え、片手で柄２を握って操作できる移植コテのような外形と寸法を有する。  
突刺し部１は、金属、セラミック等の堅くて強靭な素材より成り、先端が尖り、基端部側が幅広い縦長の形状となっている。  
また、突刺し部１は、図２に示すように、上面が凹となるよう幅方向に湾曲し、上面の凹部３の深さは基端部側に向かって次第に深くなっている。
【００１０】
図３に示すように、突刺し部１の先端から基端部へ向かって複数の（図に示す例では５本の）スリット５が形成される。スリット５の幅及び長さは、突刺し部１の寸法によって適宜変更できるが、突刺し部１の基端部の幅が７〜１０ｃｍ、長さが１３〜１７ｃｍ程度の場合には、スリット５の幅は３〜７ｍｍ程度、長さは１〜４ｃｍ程度とする。  
図１に示すように、突刺し部１の基端部中央には断面半円状の柄取付け部４が後方に向けて一体に突設され、この柄取付け部４に柄２が取り付けられる。  
なお、柄取付け部４は、突刺し部１の中心軸に対して、後端に近づくほど上を向くよう傾斜している。
【００１１】
柄２は、プラスチック、木等を素材として、直径２〜３ｃｍの棒状に形成され、外面には滑り止めの凹凸６が周方向に沿って形成されている。  
そして、柄２の前端面から柄取付け部４を軸方向に沿って差し込み、凹凸嵌合、ビス止め、接着等の適宜手段により固定して、柄２を突刺し部１に取付ける。上記したように、柄取付け部４は突刺し部１に対して傾斜しているので、柄２も突刺し部１の中心軸に対して、後端に近づくほど上を向くよう傾斜する。
【００１２】
この草取り器具で雑草を引き抜くには、柄２を手で握って、突刺し部１の先端部を雑草が生えている地面に斜め上方から突き刺す。突刺し部１の先端は尖っているので、簡単に、且つ充分深く地面に突刺すことができる。すると、突刺し部１の先端部に形成したスリット５に雑草の根の部分が引っかかる。  
次いで、柄２を押し下げて突刺し部１を上方へ回転させ、突刺し部１で雑草の生えている地面を掘り起こしながら、スリット５に引っかかった雑草の根を引き抜く。この時、スリット５は先端側が幅広くなっていないので、突刺し部１が回転しても雑草がスリット５から抜け出す心配がない。
【符号の説明】
【００１３】
１  突刺し部
２  柄
３  凹部
４  柄取付け部
５  スリット
６  凹凸
【図１】
2011000030.tif 000003
【図２】
2011000030.tif 000004
【図３】
2011000030.tif 000005